(57)【要約】      （修正有）【課題】双方向電気的連接が可能なソケット構造の提供。【解決手段】ソケット構造は、プラスチックベース３０、舌片５０、少なくとも１列の第一接触部６１、少なくとも１列の第二接触部７１を備え、少なくとも１個のコネクタを連接可能で、コネクタには少なくとも１列のターミナルを設置し、舌片はプラスチックベース前端に設置し、これによりコネクタは正方向、反対方向共に、舌片両面の空間において挿入することができ、少なくとも１列の第一接触部は舌片の一面に間隔を開けて配列し、各第一接触部は第一ピン６４に電気的に連接し、プラスチックベースの外まで伸び出し、少なくとも１列の第二接触部は舌片の他面に間隔を開けて配列し、各第二接触部は第二ピン７４に電気的に連接し、プラスチックベースの外まで伸び出し、コネクタを挿入すると、コネクタの１列のターミナルと１列の第一接触部、或いは１列の第二接触部とは電気的に連接する。【選択図】図２
2010251319.tif 000002
【特許請求の範囲】
【請求項１】
プラスチックベース、連接槽、舌片、少なくとも１列の第一接触部、少なくとも１列の第二接触部を備え、
前記連接槽は、前記プラスチックベースの一端に位置し、コネクタを連接可能で、前記コネクタには、少なくとも１列のターミナルを設置し、
前記舌片は、前記プラスチックベースの一端に設置し、前記連接槽内に位置し、これにより前記舌片両面の空間において、前記コネクタを正方向、反対方向で前記連接槽に挿入して、前記連接槽に定位することができ、
前記少なくとも１列の第一接触部は、前記舌片の一面に間隔を開けて排列し、前記各第一接触部は、第一ピンに電気的に連接し、前記プラスチックベース外に伸び出し、
前記少なくとも１列の第二接触部は、前記舌片の他面に間隔を開けて排列し、前記各第二接触部は、第二ピンに電気的に連接し、前記プラスチックベース外に伸び出し、
前記コネクタを前記連接槽に挿入すると、前記コネクタの少なくとも１列のターミナルと、前記少なくとも１列の第一接触部、或いは前記少なくとも１列の第二接触部とは電気的に連接することを特徴とする双方向電気的連接が可能なソケット構造。
【請求項２】
前記少なくとも１列の第一接触部と第一ピンとは、少なくとも１列の第一端子上に形成し、
前記第一端子には、第一接触部、第一延伸部、第一固定部、第一ピンを一体に設置し、  前記少なくとも１列の第二接触部と第二ピンとは、少なくとも１列の第二端子上に形成し、
前記第二端子には、第二接触部、第二延伸部、第二固定部、第二ピンを一体に設置することを特徴とする請求項１に記載の双方向電気的連接が可能なソケット構造。
【請求項３】
前記１列の第一端子の第一接触部と前記１列の第二端子の第二接触部とは、それぞれ前記舌片一面に突出することを特徴とする請求項２に記載の双方向電気的連接が可能なソケット構造。
【請求項４】
前記連接槽は、前記舌片両面の空間に、互換性を備える輪郭を形成し、
前記コネクタは、一面にだけ前記少なくとも１列のターミナルを設置し、前記コネクタの少なくとも１列のターミナルは、前記舌片の片面の少なくとも１列の接触部とだけ電気的に連接することを特徴とする請求項１に記載の双方向電気的連接が可能なソケット構造。
【請求項５】
前記双方向電気的連接が可能なソケット構造はさらに、金属ハウジングを備え、前記プラスチックベースを覆い、
前記舌片と前記プラスチックベースとは一体成型であることを特徴とする請求項１に記載の双方向電気的連接が可能なソケット構造。
【請求項６】
前記舌片上には、間隔を開けて排列する多数の貫通槽を設置し、
前記第一端子の第一接触部と前記第二端子の第二接触部は共に、前記貫通槽に対応して弾動することを特徴とする請求項３に記載の双方向電気的連接が可能なソケット構造。
【請求項７】
前記同一の貫通槽に対応する第一端子の第一接触部と、第二端子の第二接触部とは、前後に相互に対応することを特徴とする請求項６に記載の双方向電気的連接が可能なソケット構造。
【請求項８】
前記第一端子の第一接触部と、前記第二端子の第二接触部とは、左右に並列することを特徴とする請求項６に記載の双方向電気的連接が可能なソケット構造。
【請求項９】
前記第一端子の第一接触部は、前記第一延伸部の板面より突出し、前記第一接触部一端は、前記第一延伸部に連接し、しかも前から後ろへと徐々に高くなり反対端まで延伸して開放状となり、
前記第二端子の第二接触部は、前記第二延伸部の板面より突出し、前記第二接触部一端は、前記第二延伸部に連接し、しかも前から後ろへと徐々に高くなり反対端まで延伸して開放状となることを特徴とする請求項３に記載の双方向電気的連接が可能なソケット構造。
【請求項１０】
前記１列の第一端子と前記１列の第二端子とは、相同の連接インターフェースで、しかもシリアル番号は相互に反対方向に排列し、
前記第一接触部と前記第二接触部とは、上、下に対応することを特徴とする請求項９に記載の双方向電気的連接が可能なソケット構造。
【請求項１１】
前記舌片は回路板で、前記舌片上には、数本の第一回路を設置し、
前記第一回路は、前記舌片の前段に第一接触部を設置し、しかも前記舌片の後段には、第一ターミナルを設置し、前記第一ターミナルと前記第一ピンとは、電気的に連接し、
前記舌片下には、２本の第二回路を設置し、前記第二回路は、前記舌片の前段に第二接触部を設置し、しかも前記舌片の後段には、第二ターミナルを設置し、前記第二ターミナルと前記第二ピンとは、電気的に連接することを特徴とする請求項１に記載の双方向電気的連接が可能なソケット構造。
【請求項１２】
前記コネクタには、プラスチックベースと金属ハウジングを設置し、前記金属ハウジングは、前記プラスチックベースを覆い、
前記金属ハウジングと前記プラスチックベースとの間には空間を形成し、前記コネクタを前記連接槽に挿入すると、前記舌片は前記空間に嵌ることを特徴とする請求項１に記載の双方向電気的連接が可能なソケット構造。
【請求項１３】
前記コネクタは、金属ハウジングを備えず、
前記コネクタを前記連接槽に挿入すると、前記舌片上方、或いは下方に接合し、すなわち前記舌片の上、下方には同時に、前記コネクタを挿入して接続可能であることを特徴とする請求項１に記載の双方向電気的連接が可能なソケット構造。
【請求項１４】
前記少なくとも１列の第一接触部と前記少なくとも１列の第二接触部とは、相同の連接インターフェースで、しかもシリアル番号は相互に反対方向に排列し、
前記コネクタのターミナルは上向き、或いは下向きに、正方向、反対方向の双方向共に挿入して電気的連接が可能であることを特徴とする請求項１に記載の双方向電気的連接が可能なソケット構造。
【請求項１５】
前記双方向電気的連接が可能なソケット構造は、USBソケットで、それぞれ４個の前記１列の第一、第二接触部を備えることを特徴とする請求項１４に記載の双方向電気的連接が可能なソケット構造。
【請求項１６】
前記双方向電気的連接が可能なソケット構造は、mini USBソケットで、それぞれ５個の前記１列の第一、第二接触部を備えることを特徴とする請求項１４に記載の双方向電気的連接が可能なソケット構造。
【請求項１７】
前記少なくとも１列の第一接触部と前記少なくとも１列の第二接触部とは、異なる連接インターフェースで、それぞれ前記コネクタ、及び別の異なる連接インターフェースのコネクタと電気的連接することを特徴とする請求項１に記載の双方向電気的連接が可能なソケット構造。
【請求項１８】
前記舌片は、前記連接槽内のちょうど中間に設置し、これにより前記連接槽は、前記舌片の上下左右空間において、対称の輪郭を形成することを特徴とする請求項１に記載の双方向電気的連接が可能なソケット構造。
【請求項１９】
前記金属ハウジングの少なくとも片側は、内向きに突出して、横向きに弾動することができる少なくとも１個の弾片を設置し、
前記コネクタを前記連接槽に挿入する時、前記少なくとも１個の弾片は、前記コネクタ或いは前記舌片に接触し、前記コネクタの折れ、或いは曲がりを防止することを特徴とする請求項５に記載の双方向電気的連接が可能なソケット構造。
【請求項２０】
前記少なくとも１個の弾片は、中間弾片で、前記中間弾片は、前記連接槽片側の中間の高さに位置し、
前記コネクタは、金属ハウジングを備えず、前記コネクタを前記連接槽に挿入すると、前記舌片の上方、或いは下方に接合し、前記中間弾片は、前記コネクタに設置するターミナルの一面に接触することを特徴とする請求項１９に記載の双方向電気的連接が可能なソケット構造。
【請求項２１】
前記少なくとも１個の弾片は、２個の外弾片で、
前記２個の外弾片は、前記連接槽片側の舌片の上下方に位置し、
前記コネクタには、プラスチックベース及び金属ハウジングを設置し、前記金属ハウジングは前記プラスチックベースを覆い、前記プラスチックベースと前記金属ハウジングとの間には、空間を形成し、
前記コネクタを前記連接槽に挿入すると、前記空間に前記舌片は嵌り、前記金属ハウジング片側の弾片は、前記コネクタを押し開き、反対側の弾片は、前記コネクタの一面に接触することを特徴とする請求項１９に記載の双方向電気的連接が可能なソケット構造。
【請求項２２】
前記少なくとも１個の弾片はさらに、２個の内弾片を備え、前記２個の内弾片は、前記２個の外弾片の内側に設置し、
前記２個の内弾片は、前記舌片片側の上下面にそれぞれ接触することを特徴とする請求項２１に記載の双方向電気的連接が可能なソケット構造。
【請求項２３】
前記少なくとも１個の弾片はさらに、中間弾片を備え、
前記中間弾片は、前記２個の外弾片内側に設置し、しかも前記連接槽片側の中間の高さに位置し、
前記コネクタは金属ハウジングを備えず、前記コネクタを前記連接槽に挿入すると、前記舌片の上方或いは下方にちょうど接合し、前記中間弾片は、前記コネクタに設置するターミナルの一面に接触することを特徴とする請求項２１に記載の双方向電気的連接が可能なソケット構造。
【請求項２４】
前記弾片一端は、前記金属ハウジング片側に連接し、前端に接近し、内向きに弧状延伸状を呈し、
前記弾片には、凸点を設置し、前記凸点が圧迫を受けると、前記弾片は外側へと弾動することを特徴とする請求項１９に記載の双方向電気的連接が可能なソケット構造。
【請求項２５】
前記弾片一端は、前記金属ハウジング片側の板面に連接し、外向きに弧状延伸状を呈し、
前記弾片には、凸点を設置し、前記凸点が圧迫を受けると、前記弾片は外側へと弾動することを特徴とする請求項１９に記載の双方向電気的連接が可能なソケット構造。
【請求項２６】
前記第一接触部の前端には、第一導入片を設置し、前記第二接触部の前端には、第二導入片を設置し、
前記第一接触部と前記第二接触部とは、上下対応を呈し、前記第一導入片と前記第二導入片とは、左右互い違いを呈することを特徴とする請求項３に記載の双方向電気的連接が可能なソケット構造。
【請求項２７】
前記プラスチックベース一端にはさらに、少なくとも１個の連接槽を重ねて設置し、
前記もう一つの連接槽内には、少なくとも１列の端子槽を設置し、コネクタを連接することを特徴とする請求項１に記載の双方向電気的連接が可能なソケット構造。
【請求項２８】
前記連接槽の上下端の中段部分は狭く、これによりその輪郭の四角形は斜辺を形成することを特徴とする請求項１４に記載の双方向電気的連接が可能なソケット構造。
【請求項２９】
前記連接槽の前端の４個の斜辺には、外に張り出したガイド斜板をそれぞれ設置し、
前記コネクタを前記連接槽に挿入する時、前記ガイド斜板にぶつかると、前記連接槽中心へと導引されることを特徴とする請求項２８に記載の双方向電気的連接が可能なソケット構造。
【請求項３０】
前記双方向電気的連接が可能なソケット構造は、micro USB2.0 ソケットで、
前記少なくとも１列の第一接触部と、前記少なくとも１列の第二接触部とは共に、弾動しない５個の１列のターミナルを備えることを特徴とする請求項２８に記載の双方向電気的連接が可能なソケット構造。
【請求項３１】
前記双方向電気的連接が可能なソケット構造はさらに、第二舌片、少なくとも１列の第三接触部、少なくとも１列の第四接触部を設置し、
前記第二舌片は、前記連接槽内に位置し、前記舌片と同一水平を呈して並列し、
前記少なくとも１列の第三接触部は、前記第二舌片の一面に間隔を開けて排列し、前記各第三接触部はピンを電気的に連接し、前記プラスチックベース外に伸び出し、
前記少なくとも１列の第四接触部は、前記第二舌片の他面に間隔を開けて排列し、前記各第四接触部はピンを電気的に連接し、前記プラスチックベース外に伸び出し、
前記少なくとも１列の第一接触部と前記少なくとも１列の第三接触部とは、相同の連接インターフェースで、しかもシリアル番号は相互に反対方向に排列し、
前記少なくとも１列の第二接触部と前記少なくとも１列の第四接触部とは、相同の連接インターフェースで、しかもシリアル番号は相互に反対方向に排列することを特徴とする請求項１に記載の双方向電気的連接が可能なソケット構造。
【請求項３２】
前記双方向電気的連接が可能なソケット構造は、micro USB3.0 ソケットで、
前記少なくとも１列の第一接触部、前記少なくとも１列の第二接触部、前記少なくとも１列の第三接触部、前記少なくとも１列の第四接触部はすべて、弾動しない５個の１列のターミナルを備えることを特徴とする請求項３１に記載の双方向電気的連接が可能なソケット構造。
【請求項３３】
前記連接槽内にはさらに、第二舌片を設置し、前記舌片と同一水平を呈し並列し、
しかも、さらに少なくとも１列の第三接触部を設置し、前記第三接触部は、前記第二舌片の一面に間隔を開けて排列し、前記各第三接触部は、ピンを電気的に連接し、前記プラスチックベース外へと伸び出ることを特徴とする請求項１４に記載の双方向電気的連接が可能なソケット構造。
【発明の詳細な説明】
【技術分野】
【０００１】
本発明はエレクトリックコネクタに関し、特に双方向電気的連接が可能なソケット構造に関する。
【背景技術】
【０００２】
現在、コンピューター設備において最も普及している信号伝送規格は、USB(Universal Serial Bus)に他ならない。
この規格により製造されたコネクタソケット、及び伝送線は、マウス、キーボードなどのコンピューター周辺設備に接続することができ、コンピューターを即時に認識し、直ちに使用することができる。
【０００３】
USBコネクタのターミナルは片面だけに設置されるため、USBソケットは、その内の舌片片面のみに１列のターミナルを設置する。
使用においては、正しい向きで、USBコネクタに挿入しなければ、両者のターミナルは対応して電気的に連接されることはない。
一方、USBコネクタ挿入時の電気的に連接を確保するため、両者の対応接続においては、ポカヨケ設計が施されている。
すなわち、USBコネクタを反対向きに挿入しても挿入することはできず、挿入できなければ、使用者は向きを換えて挿入する。
つまり、向きが正しくなければ挿入することはできず、こうして挿入後の電気的に連接を確保している。
しかし通常、使用者はランダムに挿入するため、挿入できない確率は１／２で、よってしばしば使用状の不便を引き起こしている。
【０００４】
さらに、コネクタの種類は日増しに増加しており、また相同の外形でありながら連接インターフェースが異なるものもある。
相同の外形でありながら連接インターフェースが異なる２種のコネクタを、もし同一のソケットにより電気的に連接することができれば、使用における多様性を実現することができる。
本発明は、従来のソケット構造の上記した欠点に鑑みてなされたものである。
【発明の概要】
【発明が解決しようとする課題】
【０００５】
本発明が解決しようとする第一の課題は、コネクタは正方向、反対方向の双方向共に挿入して電気的連接が可能であるため使用が簡便である双方向電気的連接が可能なソケット構造を提供することである。
【０００６】
本発明が解決しようとする第二の課題は、２層の連接槽とすることができ、２個のコネクタを同時に電気的に連接可能な双方向電気的連接が可能なソケット構造を提供することである。
【０００７】
本発明が解決しようとする第三の課題は、相同の外形を備えるが、連接インターフェースが異なる２種のコネクタを電気的に連接することができ、使用の多様性を達成する双方向電気的連接が可能なソケット構造を提供することである。
【０００８】
本発明が解決しようとする第四の課題は、舌片両面の端子の導入片を上下に互い違いにすることで、舌片両面の端子は弾動時に相互に互い違いになり、こうしてより大きい弾動空間を達成し、しかも端子の接触部はより大きい接触面積を備える双方向電気的連接が可能なソケット構造を提供することである。
【０００９】
本発明が解決しようとする第五の課題は、金属ハウジングの少なくとも片側は、内向きに突出して、横方向に弾動可能な少なくとも１個の弾片を設置し、コネクタを連接槽に挿入すると、少なくとも１個の弾片は、コネクタ或いは舌片に接触し、こうしてコネクタ或いは舌片の折れ、曲がりを防止可能である双方向電気的連接が可能なソケット構造を提供することである。
【課題を解決するための手段】
【００１０】
上記課題を解決するため、本発明は下記の双方向電気的連接が可能なソケット構造を提供する。
双方向電気的連接が可能なソケット構造は、プラスチックベース、連接槽、舌片、少なくとも１列の第一接触部、少なくとも１列の第二接触部を備え、
該連接槽は、該プラスチックベースの一端に位置し、コネクタを連接可能で、該コネクタには、少なくとも１列のターミナルを設置し、
該舌片は、該プラスチックベースの前端に設置し、該連接槽内に位置し、これにより該舌片両面の空間において、該コネクタを正方向、反対方向で該連接槽に挿入して、該連接槽に定位することができ、
該少なくとも１列の第一接触部は、該舌片の一面に間隔を開けて排列し、該各第一接触部は、第一ピンに電気的に連接し、該プラスチックベース外に伸び出し、
該少なくとも１列の第二接触部は、該舌片の他面に間隔を開けて排列し、該各第二接触部は、第二ピンに電気的に連接し、該プラスチックベース外に伸び出し、
該コネクタを該連接槽に挿入すると、該コネクタの少なくとも１列のターミナルと、該少なくとも１列の第一接触部、或いは該少なくとも１列の第二接触部とは電気的に連接し、双方向電気的連接が可能なソケット構造はさらに、金属ハウジングを備え、該プラスチックベースを覆い、
該金属ハウジングの少なくとも片側は、内向きに突出して、横方向に弾動可能な少なくとも１個の弾片を設置し、該コネクタを該連接槽に挿入すると、該少なくとも１個の弾片は、コネクタ或いは舌片に接触し、こうしてコネクタ或いは舌片の折れ、曲がりを防止可能で、
該少なくとも１列の第一接触部と第一ピンとは、少なくとも１列の第一端子上に形成し、該少なくとも１列の第二接触部と第二ピンとは、少なくとも１列の第二端子上に形成し、該第一接触部と該第二接触部とは、該舌片一面にそれぞれ突出し、該第一接触部の前端には、第一導入片を設置し、該第二接触部の前端には、第二導入片を設置し、該第一接触部と該第二接触部とは、上下に対応し、該第一導入片と該第二導入片とは、左右に互い違いを呈する。  
【発明の効果】
【００１１】
本発明双方向電気的連接が可能なソケット構造は、コネクタは正方向、反対方向の双方向共に挿入して電気的連接が可能であるため使用が簡便で、２層の連接槽とすることができるため、２個のコネクタを同時に電気的に連接可能で、相同の外形を備えるが、連接インターフェースが異なる２種のコネクタを電気的に連接することができ、使用の多様性を達成し、舌片両面の端子の導入片を上下に互い違いにすることで、舌片両面の端子は弾動時に相互に互い違いになり、こうしてより大きい弾動空間を達成し、しかも端子の接触部はより大きい接触面積を備え、金属ハウジングの少なくとも片側は、内向きに突出して、横方向に弾動可能な少なくとも１個の弾片を設置し、コネクタを連接槽に挿入すると、少なくとも１個の弾片は、コネクタ或いは舌片に接触し、こうしてコネクタ或いは舌片の折れ、曲がりを防止可能である。
【図面の簡単な説明】
【００１２】
【図１】本発明第一実施例の立体図である。
【図２】本発明第一実施例の側視断面図である。
【図３】本発明第一実施例の上視断面図である。
【図４】本発明第一実施例の使用状態図である。
【図４Ａ】本発明第一実施例及びUSB2.0コネクタ正方向の前視図である。
【図５】本発明第一実施例の使用状態図である。
【図５Ａ】本発明第一実施例及びUSB2.0コネクタ反対方向の前視図である。
【図６】本発明第二実施例の側視断面図である。
【図７】本発明第三実施例の側視断面図である。
【図８】本発明第四実施例の側視断面図である。
【図９】本発明第四実施例の上視断面図である。
【図１０】本発明第五実施例の側視断面図である。
【図１１】本発明第五実施例の上視断面図である。
【図１２】本発明第五実施例の前視図である。
【図１３】本発明第六実施例の側視断面図である。
【図１４】本発明第六実施例の上視断面図である。
【図１５】本発明第六実施例の断面仰視図である。
【図１６】本発明第六実施例の使用状態図である。
【図１７】本発明第六実施例の使用状態図である。
【図１８】コンパクトポータブルディスクの三視図である。
【図１９】本発明第六実施例の使用状態図である。
【図２０】別種のコンパクトポータブルディスクの側視図である。
【図２１】本発明第六実施例の使用状態図である。
【図２２】本発明第七実施例の側視断面図である。
【図２３】本発明第八実施例の立体図である。
【図２４】本発明第九実施例の側視断面図である。
【図２５】本発明第九実施例の前視図である。
【図２６】本発明第九実施例の底視断面図である。
【図２７】本発明第九実施例の上視断面図である。
【図２８】本発明第九実施例の使用状態図である。
【図２９】本発明第九実施例の使用状態図である。
【図３０】本発明第十実施例の側視断面図である。
【図３１】本発明第十実施例の上視断面図である。
【図３２】本発明第十実施例の底視断面図である。
【図３３】本発明第十一実施例の前視断面図である。
【図３４】本発明第十一実施例の側視断面図である。
【図３５】本発明第十二実施例の立体分解図である。
【図３６】本発明第十二実施例の立体組合せ図である。
【図３７】本発明第十二実施例の前視図である。
【図３８】本発明第十二実施例の使用状態立体図である。
【図３９】本発明第十二実施例の使用状態立体図である。
【図４０】本発明第十二実施例の使用状態立体図である。
【図４１】本発明第十二実施例の使用状態立体図である。
【図４２】本発明第十三実施例の立体組合せ図である。
【図４３】本発明第十三実施例の使用状態立体図である。
【図４４】本発明第十三実施例の使用状態立体図である。
【図４５】本発明第十四実施例の立体組合せ図である。
【図４６】本発明第十四実施例の使用状態立体図である。
【図４７】本発明第十四実施例の使用状態立体図である。
【図４８】本発明第十五実施例の立体組合せ図である。
【図４９】本発明第十六実施例の立体組合せ図である。
【図５０】本発明第十七実施例の立体組合せ図である。
【図５１】本発明第十八実施例の立体組合せ図である。
【図５２】本発明第十九実施例の立体分解図である。
【図５３】本発明第十九実施例の端子及びプラスチックベースの立体組合せ図である。
【図５４】本発明第二十実施例の立体組合せ図である。
【図５５】本発明第二十一実施例の立体組合せ図である。
【図５６】本発明第二十二実施例の立体組合せ図である。
【図５７】本発明第二十三実施例の立体組合せ図である。
【図５８】本発明第二十四実施例の立体組合せ図である。
【図５９】本発明第二十五実施例の立体組合せ図である。
【図６０】本発明第二十六実施例の立体組合せ図である。
【図６１】本発明第二十七実施例の立体組合せ図である。
【図６２】本発明第二十八実施例の立体組合せ図である。
【図６３】本発明第二十九実施例の立体組合せ図である。
【図６４】本発明第三二実施例の立体組合せ図である。
【図６５】本発明第三十一実施例の立体組合せ図である。
【図６６】本発明第三十二実施例の立体組合せ図である。
【図６７】本発明第三十二実施例の前視図である。
【図６８】本発明第三十二実施例の側視断面図である。
【図６９】本発明第三十二実施例の使用状態図である。
【図７０】本発明第三十二実施例の使用状態図である。
【図７１】本発明第三十二実施例の使用状態図である。
【図７２】本発明第三十二実施例の立体組合せ図である。
【図７３】本発明第三十三実施例の前視図である。
【図７４】本発明第三十三実施例の使用状態図である。
【図７５】本発明第三十三実施例の使用状態図である。
【図７６】本発明第三十四実施例の前視図である。
【図７７】本発明第三十四実施例の使用状態図である。
【図７８】本発明第三十四実施例の使用状態図である。
【図７９】本発明第三十四実施例の使用状態図である。
【図８０】micro USB3.0コネクタの断面図である。
【図８１】本発明第三十五実施例の前視図である。
【図８２】本発明第三十五実施例の使用状態図である。
【図８３】本発明第三十五実施例の使用状態図である。
【図８４】本発明第三十六実施例の使用状態図である。
【図８５】本発明第三十六実施例の使用状態図である。
【図８６】本発明において周波数を上げた時の端子の上視表示図である。
【図８７】本発明において周波数を上げた時の端子の側視表示図である。
【図８８】本発明において周波数を下げた時の端子の上視表示図である。
【図８９】本発明において周波数を下げた時の端子の側視表示図である。
【発明を実施するための形態】
【００１３】
以下に図面を参照しながら本発明を実施するための最良の形態について詳細に説明する。
【００１４】
図１、２、３に示すように、本実施例は、USB2.0ソケットで、プラスチックベース３０、金属ハウジング４０、舌片５０、１列の第一端子６０、１列の第二端子７０を備える。
【００１５】
プラスチックベース３０には、１列の端子係合槽３１を設置し、その後端は、下から上へと後蓋３２により覆われる。
金属ハウジング４０は、プラスチックベース３０を覆い、プラスチックベース３０の前部分に、連接槽４５を形成する。
連接槽４５には、USB2.0コネクタを連接することができる。
【００１６】
舌片５０は、プラスチックベース３０と一体に射出成型する。
舌片５０は、水平を呈し、プラスチックベース３０前端に位置し、連接槽４５内のちょうど中央に位置するよう設置される。
これにより、連接槽４５は、舌片５０の上、下において、互換性かつ対称の輪郭を形成し、しかも舌片５０の左右側にも、互換性かつ対称の輪郭を形成する。
こうして、USB2.0コネクタは正方向と反対方向共に連接槽４５に挿入して定位可能となる。
舌片５０上には、４個の間隔を開けて排列する貫通槽５１を設置する。
【００１７】
１列の第一端子６０は、合計４本で、間隔を開けて排列し、プラスチックベース３０に固定する。
第一端子６０は、第一接触部６１、第一延伸部６２、第一固定部６３、第一ピン６４を一体に設置する。
第一固定部６３とプラスチックベース３０の端子係合槽３１とは固定される。
第一接触部６１は、舌片５０上面に突出し、しかも貫通槽５１に対応してプラスチックベース力で動く。
第一ピン６４は、プラスチックベース３０へと伸び出す。
【００１８】
１列の第二端子７０と１列の第一端子６０とは、相同の連接インターフェースで、しかも端子のシリアル番号は相互に反対向きに排列する。
１列の第二端子７０も、合計４本で、間隔を開けて排列し、プラスチックベース３０に固定する。
第二端子７０は、第二接触部７１、第二延伸部７２、第二固定部７３、第二ピン７４を一体に設置する。
第二固定部７３とプラスチックベース３０の端子係合槽３１とは固定される。
第二接触部７１は、舌片５０下面に突出し、しかも貫通槽５１に対応して弾動する。
第二ピン７４は、プラスチックベース３０へと伸び出す。
同一貫通槽５１に対応する第一端子６０の第一接触部６１と第二端子７０の第二接触部７１とは、前後に整然と相互に対応する。
【００１９】
１列の第二端子７０と１列の第一端子６０の、２列の端子のシリアル番号は、ちょうど反対である。
すなわち図４Ａに示すように、第二端子７０は、舌片５０下面において、左から右へと１、２、３、４と並び、第一端子６０は、舌片５０上面において、左から右へと４、３、２、１と並ぶ。
こうして、USB2.0コネクタに対応して正方向と反対方向両側の電気的連接を行う時、共に相同の信号配列を呈することができる。
【００２０】
１列の第一端子６０と１列の第二端子７０とは、プレス製造において、同一の金属片からプレスして形成する。
よって、第一固定部６３と第二固定部７３とは、同一の高さを呈し、こうしてプラスチックベース３０の端子係合槽３１において、２列が一度に組合させ固定される。
また別に、第一ピン６４と第二ピン７４とは、同一列を呈する。
【００２１】
上記した構造により、信号線のUSB2.0コネクタの使用状態図である図４、本発明のソケットとコネクタ１０の表向きの前視図である図４Ａに示すように、USB2.0コネクタ１０には、プラスチックベース１２、金属ハウジング１３を設置する。
金属ハウジング１３は、プラスチックベース１２を覆い、金属ハウジング１３とプラスチックベース１２との間には、空間１４を形成する。
プラスチックベース１２の一面には、１列のターミナル１１を設置する。
前視時には、１列のターミナル１１は、左から右へと１、２、３、４と並ぶ。
USB2.0コネクタ１０のターミナル１１が上向きに正方向を呈して、連接槽４５に挿入される時、その空間１４に舌片５０は嵌り、その１列のターミナル１１の向きは、左から右へとシリアル番号１、２、３、４となり、舌片５０下方の１列の第二端子７０の第二接触部７１(同様に、左から右へとシリアル番号１、２、３、４)と電気的に連接する。
【００２２】
図５、５Ａに示すように、USB2.0コネクタ１０のターミナル１１が下向きに反対方向を呈して、連接槽４５に挿入される時、その空間１４に舌片５０は嵌り、その１列のターミナル１１の向きは、左から右へとシリアル番号４、３、２、１となり、舌片５０上方の１列の第一端子６０の第一接触部６１(同様に、左から右へとシリアル番号４、３、２、１)と電気的に連接する。
【００２３】
舌片５０は、水平を呈して、連接槽４５内のちょうど中央に設置するため、連接槽４５の舌片５０上方の輪郭は、舌片５０下方の輪郭に対称し、しかも舌片５０左側の輪郭は、舌片５０右側の輪郭に対称する。
こうして、USB2.0コネクタ１０は、正方向、反対方向共に、連接槽４５に挿入して定位することができる。
上記した説明により、本発明により、USB2.0コネクタは正方向と反対方向共に挿入して電気的に連接可能であることは明らかで、使用上の利便性を達成することができる。
【００２４】
図６に示すように、本発明の第二実施例は、第一実施例とおおよそ相同である。
その差異は、本実施例のプラスチックベース３０には、２列の端子係合槽３１を設置する点である。
１列の第一端子６０と１列の第二端子７０とは、プレス製造において、それぞれ１枚の金属片によりプレスして形成する。
よって、第一固定部６３とプラスチックベース３０上に排列する端子係合槽３１とは、係合して定位することができ、第二固定部７３とプラスチックベース３０下に排列する端子係合槽３１とは、係合して定位することができる。
【００２５】
図７に示すように、本発明の第三実施例は、第二実施例とおおよそ相同である。
その差異は、本実施例の第一端子６０の第一ピン６４と第二端子７０の第二ピン７４とは、互い違いにそれぞれ１列を呈することである。
【００２６】
図８、９に示すように、本発明の第四実施例は、第一実施例とおおよそ相同である。
その差異は、本実施例の第一端子６０の第一接触部６１と第二端子７０の第二接触部７１とは、左右に並列を呈することである。
【００２７】
図１０、１１、１２に示すように、本発明の第五実施例は、第一実施例とおおよそ相同である。
その差異は、本実施例の舌片５０には、貫通槽の設置が不要なことである。
第一端子６０の第一接触部６１は、第一延伸部６２板面から突き出て突出し、第一接触部６１一端は、第一延伸部６２に連接し、しかも前から後ろへと徐々に突出し、反対端まで延伸して、開放状を呈する。
第一延伸部６２の板面には、開孔６２０を設置する。
第一接触部６１が圧迫されて平らになると、開孔６２０内に密着する。
１列の第二端子７０と１列の第一端子６０とは、相同の構造で、両者は相同の連接インターフェースで、しかも端子のシリアル番号は反対方向である。
第二端子７０の第二接触部７１は、第二延伸部７２の板面から突き出て突出し、第二接触部７１一端は、第二延伸部７２に連接し、しかも前から後ろへと徐々に突出し、反対端まで延伸して、開放状を呈する。
第一接触部６１と第二接触部７１とは、上、下に対応する。
【００２８】
図１３、１４、１５に示すように、本発明第六実施例はUSB3.0ソケットで、おおよそ第三実施例と相同である。
その差異は、本実施例では、１列の第一接触部６１と１列の第二接触部７１の他に、第一接触部６１前方に位置する１列の第一接触部５３、及び第二接触部７１前方に位置する１列の第二接触部５７を設置する点である。
すなわち、舌片５０は、プラスチックベース３０に回路板を組立てて定位し、舌片５０上面には、５本の第一回路５２を設置する。
【００２９】
５本の第一回路５２は、舌片５０前段部分に、間隔を開けて排列し、第一接触部５３を設置し、しかも舌片５０後段部分には、第一ターミナル５４を設置する。
１列の第一ピン５４と、別に設置する１列の第一ピン８０とは、電気的に連接する。
舌片５０下方には、５本の第二回路５６を設置する。
５本の第二回路５６は、舌片５０前段部分に、間隔を開けて排列し、第二接触部５７を設置し、しかも舌片５０後段部分には、第二ターミナル５８を設置する。
１列の第二ターミナル５８と、別に設置する１列の第二ピン８５とは、電気的に連接する。
【００３０】
１列の第一接触部５３と１列の第二接触部５７とは、相同の連接インターフェースで、シリアル番号は相互に反対方向に排列する。
１列の第一ピン８０は、１列の第一ターミナル５４に溶接し、１列の第二ピン８５は、１列の第二ターミナル５８に溶接する。
別に、１列の第一端子６０の第一固定部６３は、舌片５０の上方に溶接して固定し、１列の第二端子７０の第一固定部７３は、舌片５０の下方に溶接して固定する。
１列の第一ピン８０と１列の第一端子６０の第一ピン６４とは、１列を呈し、１列の第二ピン８５と１列の第二端子７０の第二ピン７４とは、１列を呈する。
【００３１】
上記した構造により、図１６に示すように、USB3.0コネクタ１５を正方向で挿入する時には、１列のターミナル１６と第二端子７０の第二接触部７１は、電気的に連接し、別の１列のターミナル１７と第二回路５６の第二接触部５７とは電気的に連接する。
図１７に示すように、USB3.0コネクタ１５を反対方向で挿入する時には、１列のターミナル１６と第一端子６０の第一接触部６１は、電気的に連接し、別の１列のターミナル１７と第一回路５２の第一接触部５３とは電気的に連接する。
【００３２】
コンパクトポータブルディスクの三視図である図１８に示すように、その一端には、コネクタ２１を設置する。
コネクタ２１は、USBの型式で、しかも金属ハウジングがないタイプである。
コネクタ２１の片面には、間隔を開けて排列し、弾動しない４個のターミナル２２を設置する。
【００３３】
コンパクトポータブルディスク２０の使用状態図である図１９に示すように、コネクタ２１を舌片５０上方に挿入して接続する時には、１列のターミナル２２と舌片５０上方の１列の第一端子６０の第一接触部６１とは、電気的に連接する。
コネクタ２１を舌片５０下方に挿入して接続する時には、１列のターミナル２２と舌片５０下方の１列の第二端子７０の第二接触部７１とは、電気的に連接する。
以上の説明により明らかなように、本発明は、この種のコンパクトポータブルディスク２０を連接する時には、２つの槽として使用でき、２個のコンパクトポータブルディスク２０を同時に連接することができる。
【００３４】
別種のコンパクトポータブルディスク２５の側視図である図２０に示すように、その一端には、コネクタ２８を設置する。
コネクタ２８は、USB3.0型式で、しかも金属ハウジングがないタイプである。
コネクタ２８は、上記したコネクタ２１とおおよそ相同で、コネクタ２８の片面には、間隔を開けて排列し、弾動しない４個のターミナル２６を設置する他に、間隔を開けて排列し弾動する５個のターミナル２７を設置する。
【００３５】
コンパクトポータブルディスク２５の使用状態図である図２１に示すように、コネクタ２８を舌片５０上方に挿入して接続する時には、１列のターミナル２６と舌片５０上方の１列の第一端子６０の第一接触部６１とは、電気的に連接し、１列のターミナル２７と舌片５０上の１列の第一回路５２の第一接触部５３とは、電気的に連接する。
コネクタ２８を舌片５０下方に挿入して接続する時には、１列のターミナル２６と舌片５０下方の１列の第二端子７０の第二接触部７１とは、電気的に連接し、１列のターミナル２７と舌片５０下の１列の第二回路５６の第二接触部５７とは、電気的に連接する。
このように、舌片５０は、上、下において同時に、コンパクトポータブルディスク２５を挿入して接続することができる。
【００３６】
図２２に示すように、本発明の第七実施例は、第六実施例とおおよそ相同である。
両者の差異は、本実施例の１列の第一ピン８０と１列の第一端子６０の第一ピン６４とは、互い違いにそれぞれ１列を呈し、１列の第二ピン８５と１列の第二端子７０の第二ピン７４とは、互い違いにそれぞれ１列を呈する点である。
【００３７】
図２３に示すように、本発明の第八実施例は、第一実施例とおおよそ相同である。
両者の差異は、本実施例は層が重なった状態のUSB2.0コネクタで、プラスチックベース３０には、層が重なった状態の２個の連接槽３５を設置する点である。
【００３８】
図２４、２５、２６、２７に示すように、本発明の第九実施例は、第五実施例とおおよそ相同で、本実施例の舌片５０は、連接槽４５のちょうど中央に設置し、これにより連接槽４５の舌片５０上方の空間は、舌片５０下方の空間と相同となり、しかも舌片５０左側の空間は、舌片５０右側の空間と相同となる。
両者の差異は、本実施例の舌片５０上の１列の第一端子６０と舌片５０下の１列の第二端子７０とは、異なる連接インターフェースで、１列の第二端子７０は合計４本で、間隔を開けて舌片５０下に排列して設置する点である。
第二端子７０の構造は、第五実施例と相同で、第二接触部７１、第二延伸部７２、第二固定部７３、第二ピン７４を一体に設置する。
１列の第一端子６０は合計９本で、間隔を開けて舌片５０上に排列して設置する。
第一端子６０の構造は、第二端子７０とおおよそ相同で、第一接触部６１、第一延伸部６２、第一固定部６３、第一ピン６４を一体に設置する。
【００３９】
信号線のUSB2.0コネクタ１０の使用状態図である図２８に示すように、USB2.0コネクタ１０のターミナル１１が上向きに連接槽４５に挿入される時、その空間１４に、舌片５０を嵌める。
１列のターミナル１１と舌片５０下方の第二端子７０の第二接触部７１とは電気的に連接する。
【００４０】
USB2.0コネクタと相同の外形でありながら、連接インターフェースが異なるコネクタ１８の使用状態を示す図２９に示すように、コネクタ１８には、１列の９個のターミナル１９を設置する。
コネクタ１８のターミナル１９が下向きに連接槽４５に挿入される時、その１列のターミナル１９と舌片５０上方の第一端子６０の第一接触部とは電気的に連接する。
【００４１】
上記した説明により明らかなように、本実施例は金属ハウジングを備える相同の外形でありながら、連接インターフェースが異なる２種のコネクタに電気的に連接を提供することができ、こうして使用の多様性を達成する。
本実施例は、異なる連接インターフェースで、かつ金属ハウジングを備えない２種のコンパクトポータブルディスク、或いはメモリカードを連接することもできる。
【００４２】
図３０、３１、３２に示すように、本発明第十実施例は、USB3.0ソケットで、第五実施例とおおよそ相同である。
両者の差異は、本実施例では、相同の連接インターフェースで、しかも端子のシリアル番号が反対に排列する１列の第一端子６０、１列の第二端子７０を設置する他、相同の連接インターフェースで、しかも端子のシリアル番号が反対に排列する１列の第一端子６５、１列の第二端子９０を設置する点である。
第一端子６５には、第一接触部６６、第一延伸部６７、第一固定部６８、第一ピン６９を設置する。
１列の第一端子６５は合計５個で、それは舌片５０の上面に設置し、かつ１列の第一端子６０の間に排列する。
第一端子６５の第一接触部６６は、弾動せず、しかも舌片５０上面にぴったりと密着する。
第一端子６５の第一接触部６６は、第一端子６０の第一接触部６１の前方に位置する。
【００４３】
第二端子９０には、第二接触部９１、第二延伸部９２、第二固定部９３、第二ピン９４を設置する。
１列の第二端子９０は、合計５個で、それは舌片５０の下方に設置し、１列の第二端子７０の間に設置し、１列の第二端子７０の間に排列する。
第二端子９０の第二接触部９１は、弾動せず、しかも舌片５０上面に密着する。
第二端子９０の第二接触部９１は、第二端子７０の第二接触部７１の前方に位置する。
２列の第一端子６０、６５は、プレス製造において、同一の金属片からプレスして成型する。
２列の第二端子７０、９０も、プレス製造において、同一の金属片からプレスして成型する。
【００４４】
図３３、３４に示すように、本発明第十一実施例は、正方向と反対方向の両方が挿入して接続可能なmini USB2.0ソケットである。
mini USB2.0の連接インターフェースは、USB2.0の連接インターフェースより１本端子が多い。
そのため、本実施例の構造は、第一実施例とおおよそ相同で、同様に、プラスチックベース３０、金属ハウジング４０、舌片５０、１列の第一端子６０、１列の第二端子７０を備える。
両者の差異は、本実施例の１列の第一端子６０は５本で、第一端子６０には、第一接触部６１を、舌片５０上に突出して設置し、１列の第二端子７０は５本で、第二接触部７１を、舌片５０下に突出して設置する点である。
１列の第二端子７０と１列の第一端子６０とは、相同の連接インターフェースで、しかもシリアル番号は相互に反対向きに排列する。
第二端子７０と第一端子６０の構造は、第一実施例とおおよそ相同である。
【００４５】
図３５、３６、３７に示すように、本発明第十二実施例は、両方挿入して接続可能なUSB2.0ソケットである。
本実施例の構造は、第一実施例とおおよそ相同で、同様に、プラスチックベース３０、金属ハウジング４０、舌片５０、１列の第一端子６０、１列の第二端子７０を備える。
【００４６】
本実施例と第一実施例との差異は、以下の通りである。
金属ハウジング４０両側に、それぞれ内側へと突出する４個の弾片を設置する。
４個の弾片は、横方向に弾動することができる。
４個の弾片は、舌片５０の上、下に位置し、それぞれ外弾片４１と内弾片４２を設置する。
２個の内弾片４２は、２個の外弾片４１内側に設置し、２個の内弾片４２は、舌片５０片側の上、下にそれぞれ接触する。
各弾片４１、４２の一端は、金属ハウジング４０両側の前端に近い位置に連接し、内側へと弧状を呈して延伸する。
各弾片４１、４２には、凸点４６を設置し、凸点４６が圧迫されると、弾片４１、４２は外に向かい弾動する。
【００４７】
第一端子６０の第一接触部６１の前端には、第一導入片６１１を設置する。
導入片６１１の板面は、第一接触部６１の板面より小さく、第二端子７０の第二接触部７１の前端には、第二導入片７５を設置する。
第二導入片７５の板面は、第二接触部７１の板面より小さく、第一接触部６１と第二接触部７１とは、上、下対応を呈する。
第一導入片６１１と第二導入片７５とは、左右に互い違いを呈し、第一導入片６１１と第二導入片７５は共に、舌片５０に係合する。
【００４８】
図３９に示すように、コンパクトポータブルディスク２０のターミナル２２を、下向きに舌片５０上方に挿入すると、舌片５０上方両側の２個の弾片は、押し開かれ、外へと弾き開く。
舌片５０下方両側の内弾片４２は、舌片５０下に接触している。
この状況で、コンパクトポータブルディスク２０の挿入時に、施力が下方へと向った場合でも、内弾片４２は、舌片５０下に接触しているため、舌片５０が下向きの力を受けて折れ、或いは曲がってしまう状況の発生を防止することができる。
この時、第一端子６０の第一接触部６１とコンパクトポータブルディスク２０のターミナル２２とは、弾性接触し下方へと動いても、第一導入片６１１と第二導入片７５は、左右に互い違いを呈するため、第一導入片６１１は、第二導入片７５に接触することはない。
【００４９】
図３８に示すように、コンパクトポータブルディスク２０のターミナル２２を、上向きに舌片５０下方に挿入すると、舌片５０下方両側の２個の弾片は、押し開かれ、外へと弾き開く。
舌片５０上方両側の内弾片４２は、舌片５０上に接触している。
よって、舌片５０は同様に保護され、コンパクトポータブルディスク２０挿入時の施力が不適当でも、舌片５０が折れ、或いは曲がってしまうことはない。
【００５０】
図４０に示すように、金属ハウジングを備えるUSB2.0コネクタ１０のターミナルを、上向きに連接槽に挿入すると、USB2.0コネクタ１０は、ちょうど舌片５０下方の空間を塞ぐが、一方、舌片５０上方の空間は塞がれていない。
この時、舌片５０上方両側の外弾片４１は、USB2.0コネクタ１０に接触する。
よって、USB2.0コネクタ１０が上向きになることを阻み、舌片５０保護の効果を達成することができる。
【００５１】
図４１に示すように、USB2.0コネクタ１０のターミナルを、下向きに連接槽に挿入すると、USB2.0コネクタ１０は、ちょうど舌片５０上方の空間を塞ぐが、一方、舌片５０下方の空間は塞がれていない。
この時、舌片５０下方両側の外弾片４１は、USB2.0コネクタ１０に接触する。
よって、USB2.0コネクタ１０が上向きになることを阻み、舌片５０保護の効果を達成することができる。
本実施例の設計は、両面挿入接続の効果を備える他、舌片５０を保護し、端子の接触部の面積を拡大する効果をも備える。
【００５２】
図４２に示すように、本発明の第十三実施例は、第十二実施例とおおよそ相同である。
本実施例と第十二実施例との差異は、金属ハウジング４０両側には、舌片５０上、下においてそれぞれ内側へと突出し、横向きに弾動することができる外弾片４１のみを設置する点である。
【００５３】
図４３に示すように、USB2.0コネクタ１０のターミナルを、上向きに連接槽に挿入すると、この時、舌片５０上方両側の外弾片４１は、USB2.0コネクタ１０に接触する。
図４４に示すように、USB2.0コネクタ１０のターミナルを、下向きに連接槽に挿入すると、この時、舌片５０下方両側の外弾片４１は、USB2.0コネクタ１０に接触する。
【００５４】
図４５に示すように、本発明の第十四実施例は、第十二実施例とおおよそ相同である。
本実施例と第十二実施例との差異は、金属ハウジング４０両側においてそれぞれ内側へと突出し、横向きに弾動することができる中間弾片４３を設置する点である。
中間弾片４３は、連接槽４５片側の中間の高さに位置し、その構造は、上記した外弾片４１と相同である。
【００５５】
図４６に示すように、コンパクトポータブルディスク２０のターミナルを、上向きに連接層４５に挿入すると、この時、舌片５０両側の中間弾片４３は、コンパクトポータブルディスク２０に設置するターミナルの一面２３に接触する。
こうして、コンパクトポータブルディスク２０が上向きになることを阻むことができる。
【００５６】
図４７に示すように、コンパクトポータブルディスク２０のターミナルを、下向きに連接層４５に挿入すると、この時、舌片５０両側の中間弾片４３は、コンパクトポータブルディスク２０に設置するターミナルの一面２３に接触する。
こうして、コンパクトポータブルディスク２０が下向きになることを阻むことができる。
【００５７】
図４８に示すように、本発明の第十五実施例は、第十三実施例及び第十四実施例とおおよそ相同である。
すなわち、本実施例は、金属ハウジング４０両側に、それぞれ内側へと突出して設置する、横向きに弾動することができる中間弾片４３と２個の外弾片４１を備える。
【００５８】
図４９に示すように、本発明の第十六実施例は、第十二実施例とおおよそ相同である。
両者の差異は、本実施例の外弾片４１一端、及び内弾片４２一端は共に、金属ハウジング４０両側板面に連接し、外向きに弧状延伸を呈する点である。
各弾片４１、４２には、凸点４６を設置し、凸点４６が圧迫されると、弾片４１、４２は、外へと弾動する。
【００５９】
図５０に示すように、本発明の第十七実施例は、第十三実施例とおおよそ相同である。
両者の差異は、本実施例の外弾片４１一端は、金属ハウジング４０両側の中間板面に連接して、外向きに弧状延伸を呈する点である。
【００６０】
図５１に示すように、本発明の第十八実施例は、第十四実施例とおおよそ相同である。
両者の差異は、本実施例の中間弾片４３一端は、金属ハウジング４０両側の中間板面に連接して、外向きに弧状延伸を呈する点である。
【００６１】
図５２、５３に示すように、本発明第十九実施例は、両方挿入して接続可能なUSB3.0ソケットで、本実施例の構造は、第十二実施例とおおよそ相同である。
両者の差異は、本実施例では、１列の第一端子６５、１列の第二端子９０を増設する点である。
第一端子６５の接触部６６は、舌片５０の上に密着し、第一端子６０の接触部６１前方に位置し、しかも両者は同面で、第二端子９０の接触部９１は、舌片５０の下に密着し、第二端子７０の接触部７１前方に位置し、しかも両者は同面である。
【００６２】
図５４に示すように、本発明第二十実施例は、第十二実施例とおおよそ相同である。
両者の差異は、本実施例は４層の両方挿入して接続可能なUSB2.0ソケットであることである。
すなわち、プラスチックベース３０には、４個の連接槽３５を設置し、金属ハウジング４０には、４個の連接槽３５に対応して、４個の開口を設置する。
【００６３】
図５５に示すように、本発明第二十一実施例は、第十九実施例とおおよそ相同である。
両者の差異は、本実施例は２層の両方挿入して接続可能なUSB3.0ソケットであることである。
すなわち、プラスチックベース３０には、２個の連接槽３５を設置し、金属ハウジング４０には、２個の連接槽３５に対応して、２個の開口を設置する。
【００６４】
図５６に示すように、本発明第二十二実施例は、第二十実施例とおおよそ相同である。
両者の差異は、本実施例は３層のスタッキングソケットであることである。
すなわち、プラスチックベース３０には、下から上へと連接槽３５、連接槽３６、連接槽３７を設置し、金属ハウジング４０には、３個の連接槽３５、３６、３７に対応して、３個の開口を設置する。
内、最下層は、両方挿入して接続可能なUSB3.0ソケットの連接槽３５で、中層は、USB3.0とeSATA(External Serial ATA)の共用ソケットの連接槽３６で、連接槽３６には、USB3.0コネクタとeSATAコネクタとを挿入して接続することができる。
上層は、単方向挿入接続のUSB2.0ソケットの連接槽３７である。
【００６５】
図５７に示すように、本発明第二十三実施例は、第二十一実施例とおおよそ相同である。
両者の差異は、本実施例は３層のスタッキングソケットであることである。
すなわち、プラスチックベース３０には、下から上へと連接槽３５、連接槽３７、連接槽３８を設置し、金属ハウジング４０には、３個の連接槽３５、３７、３８に対応して、３個の開口を設置する。
内、最下層は、両方挿入して接続可能なUSB3.0ソケットの連接槽３５で、中層は、単方向挿入接続のUSB2.0ソケットの連接槽３７で、上層は、１３９４ソケットの連接槽３８である。
【００６６】
図５８に示すように、本発明第二十四実施例は、両方挿入して接続可能で、しかも２槽であるUSB2.0ソケットである。
本実施例の構造は、第八実施例とおおよそ相同であるが、両者の差異は、本実施例の２個の連接槽３５は、左右に排列し、挿入口が前向きで、しかも連接槽３５内の舌片５０が直立を呈することである。
【００６７】
図５９に示すように、本発明第二十五実施例は、両方挿入して接続可能で、しかも２槽であるUSB3.0ソケットである。
本実施例の構造は、第二十四実施例とおおよそ相同で、その連接槽３５もまた、左右に排列し、しかも連接槽３５内の舌片５０は直立を呈する。
【００６８】
図６０に示すように、本発明第二十六実施例は、左右に排列する３個のソケットで、第二十五実施例とおおよそ相同である。
両者の差異は、本実施例の最も左側は、両方挿入して接続可能なUSB2.0ソケットの連接槽３５で、中間は、両方挿入して接続可能なUSB3.0ソケットの連接槽３５で、最も右側は、１３９４ソケットの連接槽３８であることである。
【００６９】
図６１に示すように、本発明第二十七実施例は、左右に排列する３個のソケットで、第二十六実施例とおおよそ相同である。
両者の差異は、本実施例の最も右側は、USB3.0とeSATAの共用ソケットの連接槽３６である点である。
【００７０】
図６２に示すように、本発明第二十八実施例は、両方挿入して接続可能で、しかも２槽であるUSB2.0ソケットである。
本実施例の構造は、第二十四実施例とおおよそ相同であるが、両者の差異は、本実施例は直立式ソケットで、２個の連接槽３５の挿入口は上向きである点である。
【００７１】
図６３に示すように、本発明第二十九実施例は、第二十八実施例とおおよそ相同である。
両者の差異は、本実施例は両方挿入して接続可能で、しかも２槽であるUSB3.0ソケットである点である。
【００７２】
図６４に示すように、本発明第三十実施例は、第二十九実施例とおおよそ相同である。
両者の差異は、本実施例は３個の直立式ソケットで、最も左側は、両方挿入して接続可能なUSB3.0ソケットの連接槽３５で、中間は、USB3.0とeSATAの共用ソケットの連接槽３６で、最も右側は、１３９４ソケットの連接槽３８であることである。
【００７３】
図６５に示すように、本発明第三十一実施例は、第三十実施例とおおよそ相同である。
両者の差異は、本実施例の最も左側は、HDMI(High Definition Multimedia Interface)とディスプレーポート(Display Port)の共用ソケットの連接槽３９であることである。
【００７４】
図６６、６７、６８に示すように、本発明第三十二実施例は、micro USB2.0ソケットで、プラスチックベース３０、金属ハウジング４０、１列の第一端子６０、１列の第二端子７０を備える。
【００７５】
プラスチックベース３０には、２列の端子係合槽３１を設置し、その前端には、突出した舌片５０を一体に設置する。
舌片５０の上、下面には、それぞれ間隔を開けて排列する５個の端子槽５９を設置する。
金属ハウジング４０は、プラスチックベース３０を覆い、金属ハウジング４０の前段には、連接槽４５を形成する。
連接槽４５は、プラスチックベース３０前端に位置し、舌片５０を内に包む。
連接槽４５の上、下端は、中段が比較的狭いため、その輪郭の四角形は、対称の斜辺４８を形成し、舌片５０の上、下、及び左右は、互換性があり、しかも対称の輪郭である。
こうして、正方向、反対方向の両方向共にmicro USB2.0コネクタを連接することができる。
また、金属ハウジング４０の上、下板面には、弾性係合フック４１３をそれぞれ突出状に設置し、連接槽４５の前端の４個の斜辺４８には、外に張り出したガイド斜板４７をそれぞれ設置する。
micro USB2.0コネクタを連接槽４５に挿入すると、ガイド斜板４７に接触し、これにより連接槽４５の中心へと導かれる。
【００７６】
１列の第一端子６０は合計５個で、各第一端子６０には、第一接触部６１、第一固定部６３、第一ピン６４を設置する。
第一固定部６３とプラスチックベース３０上の端子係合槽３１とは固定し、これにより第一接触部６１は弾動せず、しかも舌片５０上の端子槽５９に密着する。
第一ピン６４は、プラスチックベース３０下方に伸び出す。
【００７７】
１列の第二端子７０は合計５個で、各第二端子７０には、第二接触部７１、第二固定部７３、第二ピン７４を設置する。
第二固定部７３とプラスチックベース３０下の端子係合槽３１とは固定し、これにより第二接触部７１は弾動せず、しかも舌片５０下の端子槽５９に密着する。
第二ピン７４は、プラスチックベース３０下方に伸び出す。
少なくとも１列の第一接触部６１と少なくとも１列の第二接触部７１とは、相同の連接インターフェースで、しかもシリアル番号は相互に反対方向に排列する。
すなわち、１列の第二接触部７１のシリアル番号は、左から右へと１、２、３、４、５と並び、１列の第一接触部６１のシリアル番号は、左から右へと５、４、３、２、１と並ぶ。
【００７８】
上記した構造において、図６９に示すように、micro USB2.0コネクタ１１０内には、プラスチックベース１１４を設置し、しかも外には金属ハウジングを設置し、プラスチックベース１１４を覆う。
プラスチックベース１１４には、連接槽１１１、及び１列の５個の弾動することができるターミナル１１２を設置し、別に上端面には、２個の弾性係合フック１１３を設置する。
micro USB2.0コネクタ１１０のターミナル１１２が上向きに正方向を呈して連接槽４５に挿入されると、micro USB2.0コネクタ１１０の連接槽１１１と舌片５０とは、嵌合する。
さらに、１列のターミナル１１２と、舌片５０下の１列の第二接触部７１とは電気的に連接し、２個の弾性係合フック１１３は、金属ハウジング４０の上板の２個の弾性係合フック４１３後方に係合する。
【００７９】
図７０に示すように、micro USB2.0コネクタ１１０のターミナル１１２が下向きに反対方向を呈して連接槽４５に挿入されると、１列のターミナル１１２は、舌片５０上の１列の第一接触部６１とは電気的に連接し、２個の弾性係合フック１１３は、金属ハウジング４０の下板の２個の弾性係合フック４１３後方に係合する。
以上の説明により、本実施例において、micro USB2.0コネクタ１１０は正方向、反対方向共に挿入でき、電気的に連接可能であることは明らかである。
【００８０】
図７１に示すように、micro USB2.0コネクタ１１０を連接槽４５に挿入する時に、もし上に偏りきちんと対応していない場合には、micro USB2.0コネクタ１１０は、連接槽４５上方の両角にあるガイド斜板４７にぶつかる。
micro USB2.0コネクタ１１０は、ガイド斜板４７の斜面により導引され、連接槽４５中心へとガイドされ、きちんと対応して挿入される。
こうして、使用状の利便性を達成する。
【００８１】
図７２、７３に示すように、本発明の第三十三実施例は、両方共に挿入することができるmini USB2.0ソケットである。
本実施例の構造は、第十一実施例とおおよそ相同で、プラスチックベース３０、金属ハウジング４０、舌片５０、１列の第一端子６０、１列の第二端子７０を備える。
両者の差異は、本実施例の金属ハウジング４０の上、下板面の前段には、連接槽４５へと突出する４個の凸点４９をそれぞれ設置する点である。
また、１列の第一端子６０と１列の第二端子７０の構造は、図３５に示す第十二実施例とおおよそ相同である。
すなわち、第一端子６０の第一接触部６１の前段には、下向きの第一導入片６１１を設置し、第一導入片６１１の板面は、第一接触部６１より小さい。
第二端子７０の第二接触部７１の前段には、上向きの第二導入片７５を設置し、第二導入片７５の板面は、第二接触部７１より小さい。
第一導入片６１１と第二導入片７５とは、左と右に互い違いを呈する。
【００８２】
図７４に示すように、mini USB2.0コネクタ１２０を正方向に挿入すると、金属ハウジング４０上板の４個の凸点４９は、mini USB2.0コネクタ１２０を確実に下へと押す。
これにより、mini USB2.0コネクタ１２０の金属ハウジング１２１と第二端子７０とが接触して、ショートすることを防止可能である。
【００８３】
図７５に示すように、mini USB2.0コネクタ１２０を反対方向に挿入すると、金属ハウジング４０下板の４個の凸点４９は、mini USB2.0コネクタ１２０を確実に上へと押す。
これにより、mini USB2.0コネクタ１２０の金属ハウジング１２１と第一端子６０とが接触して、ショートすることを防止可能である。
【００８４】
図７６に示すように、本発明第三十四実施例は、micro USB2.0ソケットである。
micro USB2.0ソケットには、micro USB2.0コネクタを正方向、反対方向の両方向で挿入して接続でき、micro USB3.0コネクタを単方向で挿入して接続することができる。
本実施例の構造は、第三十二実施例とおおよそ相同であるが、その差異は、本実施例のプラスチックベース３０と金属ハウジング４０とは共に、第三十二実施例のものより幅が広く、金属ハウジング４０前段にも、より幅が広い連接槽４５を形成し、しかも第二舌片５１０と１列の５個の第三端子１００とを設置することである。
第二舌片５１０は、プラスチックベース３０前端に一体に突出状に設置され、同一水平面を呈して並列されるが、第二舌片５１０の上、下空間には互換性はなく、下方空間は、上方空間より大きく、連接槽４５の左右空間も互換性がない。
１列の第三端子１００は、プラスチックベース３０に固定され、１列の第三端子１００には、第三接触部１０１をそれぞれ設置し、間隔を開けて第二舌片５１０の下に排列し、ピンを設置して、プラスチックベース３０外へと伸び出る。
【００８５】
図７７に示すように、micro USB2.0コネクタ１１０を反対方向に連接槽４５に挿入すると、micro USB2.0コネクタ１１０のターミナル１１２と、舌片５０上方の第一接触部６１とは、電気的に連接する。
【００８６】
図７８に示すように、micro USB2.0コネクタ１１０を正方向に連接槽４５に挿入すると、micro USB2.0コネクタ１１０のターミナル１１２と、舌片５０下方の第二接触点７１とは、電気的に連接する。
【００８７】
micro USB3.0コネクタ１１５の断面図である図８０に示すように、それはmicro USB2.0コネクタとおおよそ相同で、左辺に、弾動することができる５個のターミナル１１７を設置する他、右辺にさらに、弾動することができる５個のターミナル１１８を並列して設置する。
【００８８】
図７９に示すように、micro USB3.0コネクタ１１５を正方向に連接槽４５に挿入すると、micro USB3.0コネクタ１１５の１列のターミナル１１７と、舌片５０下方の１列の第二接触部７１とは、電気的に連接する。
micro USB3.0コネクタ１１５の別の１列のターミナル１１８と、舌片５０下方の１列の第三接触部１０１とは電気的に連接する。
【００８９】
図８１に示すように、本発明第三十五実施例は、micro USB3.0ソケットである。
micro USB3.0ソケットには、micro USB3.0コネクタを正方向、反対方向の両方向で挿入して接続できる。
本実施例の構造は、第三十四実施例とおおよそ相同であるが、その差異は、本実施例の第二舌片５１０の上、下空間には互換性があり、しかも対称で、連接槽４５の左右側空間もまた、互換性があり、しかも対称である点である。
さらに、１列の５個の第四端子１０５を設置し、プラスチックベース３０に固定する。
１列の第四端子１０５には、第四接触部１０６をそれぞれ設置し、第四接触部１０６は第二舌片５１０上に間隔を開けて排列し、ピンを設置して、プラスチックベース３０外へと伸び出る。
１列の第一接触部６１と、少なくとも１列の第三接触部１０１とは、相同の連接インターフェースで、しかもシリアル番号は、相互に反対方向に排列する。
図８１に示すように、１列の第一接触部６１のシリアル番号は、左から右へと、１０、９、８、７、６で、１列の第三接触部１０１のシリアル番号は、左から右へと、６、７、８、９、１０である。
１列の第二接触部７１と１列の第四接触部１０６とは、相同の連接インターフェースで、しかもシリアル番号は、相互に反対方向に排列する。
１列の第二接触部７１のシリアル番号は、左から右へと、１、２、３、４、５で、１列の第四接触部１０６のシリアル番号は、左から右へと、５、４、３、２、１である。
【００９０】
金属ハウジング４０の上、下板は、左右対称を呈し、突出状の緊密接触弾片４１０をそれぞれ設置し、しかも両側に近い辺には、定位凸ブロック４１２と導入斜片４１１をそれぞれ設置する。
緊密接触弾片４１０は、外から内へと延伸し、２個の定位ブロック４１２の両側と金属ハウジング４０とは離れ、前後端と金属ハウジング４０とはつながる。
micro USB3.0コネクタ１１５が正方向で連接槽４５に挿入されると、２個の導入斜片４１１は導入を補助する。
【００９１】
図８２に示すように、micro USB3.0コネクタ１１５を正方向に連接槽４５に挿入すると、micro USB3.0コネクタ１１５の１列のターミナル１１７と、舌片５０下方の１列の第二接触部７１とは、電気的に連接する。
micro USB3.0コネクタ１１５の別の１列のターミナル１１８と、舌片５０下方の１列の第三接触部１０１とは電気的に連接する。
両者の１０個のターミナルと接触点とは、相同のシリアル番号を呈し、対応して連接する。
この時、金属ハウジング４０上板の緊密接触弾片４１０と、定位凸ブロック４１２とは、micro USB3.0コネクタ１１５に接触し、より良い定位を形成させる。
金属ハウジング４０下板の定位凸ブロック４１２は、micro USB3.0コネクタ１１５の片側に定位される。
【００９２】
図８３に示すように、micro USB3.0コネクタ１１５を反対方向に連接槽４５に挿入すると、micro USB3.0コネクタ１１５の１列のターミナル１１７と、舌片５０上方の１列の第四接触部１０６とは、電気的に連接する。
micro USB3.0コネクタ１１５の別の１列のターミナル１１８と、舌片５０上方の１列の第一接触部６１とは電気的に連接する。
両者の１０個のターミナルと接触点とは、相同のシリアル番号を呈し、対応して連接する。
この時、金属ハウジング４０下板の緊密接触弾片４１０と、定位凸ブロック４１２とは、micro USB3.0コネクタ１１５に接触し、より良い定位を形成させる。
金属ハウジング４０上板の定位凸ブロック４１２は、micro USB3.0コネクタ１１５の片側に定位される。
【００９３】
図８４、８５に示すように、本発明第三十六実施例は、micro USB3.0ソケットで、正方向と反対方向の両方向でmicro USB3.0コネクタを挿入して接続することができる。
本実施例の構造は、第三十五実施例とおおよそ相同である。
両者の差異は、本実施例には、導入斜辺を設置せず、定位凸ブロック４１２だけを設置する点である。
定位凸ブロック４１２の両側と金属ハウジング４０とは、相互につながり、前後端と金属ハウジング４０とは離れる。
【００９４】
本発明は舌片両面に共に接触部を設置するため、端子を多く、かつ密集させて設置することができ、高周波に対する要求はさらに必要である。
高周波に影響を及ぼす素因は、おおよそ端子の導電性、断面積及び長さである。
適当な高周波を達成するため、端子の断面積と長さを改変後に、さらに高周波テストを行い、必要な高周波数値であるかどうかを確かめる必要がある。
【００９５】
双方向挿入接続のUSB3.0ソケットを例とすると、図８６、８７に示すように、高周波テストにおいてなお標準に達していない時には、２列の第一端子６０、６５、及び２列の第二端子７０、９０を採用して、板幅を広くし、或いは板の厚みを厚くして、周波数を高く調整することができる。
【００９６】
図８８、８９に示すように、高周波テストにおいて標準を超過した時には、２列の第一端子６０、６５、及び２列の第二端子７０、９０を採用して、板幅を狭くし、或いは板の厚みを薄くし、或いは湾曲させて長さを延ばし、周波数を下げるよう調整することができる。
【００９７】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【産業上の利用可能性】
【００９８】
本発明は特許請求の要件である新規性を備え、従来の同類製品に比べ十分な進歩を有し、実用性が高く、社会のニーズに合致しており、産業上の利用価値は非常に大きい。
【符号の説明】
【００９９】
１０  USB2.0コネクタ
１１  ターミナル
１２  プラスチックベース
１３  金属ハウジング
１４  空間
１５  USB3.0コネクタ
１６  ターミナル
１７  ターミナル
２０  コンパクトポータブルディスク
２１  コネクタ
２２  ターミナル
２３  一面
２５  コンパクトポータブルディスク
２６  ターミナル
２７  ターミナル
２８  コネクタ
３０  プラスチックベース
３１  端子係合槽
３２  後蓋
３５  連接槽
３６  連接槽
３７  連接槽
３８  連接槽
３９  連接槽
４０  金属ハウジング
４１  外弾片
４２  内弾片
４３  中間弾片
４５  連接槽
４６  凸点
４７  ガイド斜板
４８  斜辺
４９  凸点
４１０  緊密接触弾片
４１２  定位凸ブロック
４１１  導入斜片
４１３  弾性係合フック
５０  舌片
５１  貫通槽
５２  第一回路
５３  第一接触部
５４  第一ターミナル
５６  第二回路
５７  第二接触部
５８  第二ターミナル
６０  第一端子
６１  第一接触部
６２  第一延伸部
６３  第一固定部
６４  第一ピン
６１１  第一導入片
６２０  開孔
６５  第一端子
６６  第一接触部
６７  第一延伸部
６８  第一固定部
６９  第一ピン
７０  第二端子
７１  第二接触部
７２  第二延伸部
７３  第二固定部
７４  第二ピン
７５  第二導入片
８０  第一ピン
８５  第二ピン
９０  第二端子
９１  第二接触部
９２  第二延伸部
９３  第二固定部
９４  第二ピン
１００  第三端子
１０１  第三接触部
１０５  第四端子
１０６  第四接触部
１１０  micro USB2.0コネクタ
１１４  プラスチックベース
１１１  連接槽
１１２  ターミナル
１１３  弾性係合フック
１１５  micro USB3.0コネクタ
１１７  ターミナル
１１８  ターミナル
１２０  mini USB2.0コネクタ
１２１  金属ハウジング
【図１】
2010251319.tif 000003
【図２】
2010251319.tif 000004
【図３】
2010251319.tif 000005
【図４】
2010251319.tif 000006
【図４Ａ】
2010251319.tif 000007
【図５】
2010251319.tif 000008
【図５Ａ】
2010251319.tif 000009
【図６】
2010251319.tif 000010
【図７】
2010251319.tif 000011
【図８】
2010251319.tif 000012
【図９】
2010251319.tif 000013
【図１０】
2010251319.tif 000014
【図１１】
2010251319.tif 000015
【図１２】
2010251319.tif 000016
【図１３】
2010251319.tif 000017
【図１４】
2010251319.tif 000018
【図１５】
2010251319.tif 000019
【図１６】
2010251319.tif 000020
【図１７】
2010251319.tif 000021
【図１８】
2010251319.tif 000022
【図１９】
2010251319.tif 000023
【図２０】
2010251319.tif 000024
【図２１】
2010251319.tif 000025
【図２２】
2010251319.tif 000026
【図２３】
2010251319.tif 000027
【図２４】
2010251319.tif 000028
【図２５】
2010251319.tif 000029
【図２６】
2010251319.tif 000030
【図２７】
2010251319.tif 000031
【図２８】
2010251319.tif 000032
【図２９】
2010251319.tif 000033
【図３０】
2010251319.tif 000034
【図３１】
2010251319.tif 000035
【図３２】
2010251319.tif 000036
【図３３】
2010251319.tif 000037
【図３４】
2010251319.tif 000038
【図３５】
2010251319.tif 000039
【図３６】
2010251319.tif 000040
【図３７】
2010251319.tif 000041
【図３８】
2010251319.tif 000042
【図３９】
2010251319.tif 000043
【図４０】
2010251319.tif 000044
【図４１】
2010251319.tif 000045
【図４２】
2010251319.tif 000046
【図４３】
2010251319.tif 000047
【図４４】
2010251319.tif 000048
【図４５】
2010251319.tif 000049
【図４６】
2010251319.tif 000050
【図４７】
2010251319.tif 000051
【図４８】
2010251319.tif 000052
【図４９】
2010251319.tif 000053
【図５０】
2010251319.tif 000054
【図５１】
2010251319.tif 000055
【図５２】
2010251319.tif 000056
【図５３】
2010251319.tif 000057
【図５４】
2010251319.tif 000058
【図５５】
2010251319.tif 000059
【図５６】
2010251319.tif 000060
【図５７】
2010251319.tif 000061
【図５８】
2010251319.tif 000062
【図５９】
2010251319.tif 000063
【図６０】
2010251319.tif 000064
【図６１】
2010251319.tif 000065
【図６２】
2010251319.tif 000066
【図６３】
2010251319.tif 000067
【図６４】
2010251319.tif 000068
【図６５】
2010251319.tif 000069
【図６６】
2010251319.tif 000070
【図６７】
2010251319.tif 000071
【図６８】
2010251319.tif 000072
【図６９】
2010251319.tif 000073
【図７０】
2010251319.tif 000074
【図７１】
2010251319.tif 000075
【図７２】
2010251319.tif 000076
【図７３】
2010251319.tif 000077
【図７４】
2010251319.tif 000078
【図７５】
2010251319.tif 000079
【図７６】
2010251319.tif 000080
【図７７】
2010251319.tif 000081
【図７８】
2010251319.tif 000082
【図７９】
2010251319.tif 000083
【図８０】
2010251319.tif 000084
【図８１】
2010251319.tif 000085
【図８２】
2010251319.tif 000086
【図８３】
2010251319.tif 000087
【図８４】
2010251319.tif 000088
【図８５】
2010251319.tif 000089
【図８６】
2010251319.tif 000090
【図８７】
2010251319.tif 000091
【図８８】
2010251319.tif 000092
【図８９】
2010251319.tif 000093
【手続補正書】
【提出日】平成22年4月12日(2010.4.12)
【手続補正１】
【補正対象書類名】明細書
【補正対象項目名】００２１
【補正方法】変更
【補正の内容】
【００２１】
上記した構造により、信号線のUSB2.0コネクタの使用状態図である図４、本発明のソケットとコネクタ１０の表向きの前視図である図４Ａに示すように、USB2.0コネクタ１０には、プラスチックベース１２、金属ハウジング１３を設置する。
金属ハウジング１３は、プラスチックベース１２を覆い、金属ハウジング１３とプラスチックベース１２との間には、空間１４を形成する。
プラスチックベース１２の一面には、１列のターミナル１１を設置する。
前視時には、１列のターミナル１１は、左から右へと４、３、２、１と並ぶ。
USB2.0コネクタ１０のターミナル１１が上向きに正方向を呈して、連接槽４５に挿入される時、その空間１４に舌片５０は嵌り、その１列のターミナル１１の向きは、左から右へとシリアル番号１、２、３、４となり、舌片５０下方の１列の第二端子７０の第二接触部７１(同様に、左から右へとシリアル番号１、２、３、４)と電気的に連接する。